(57)【要約】【課題】  既設の挿入筋構法で設置されたＡＬＣパネルの防水性に優れた補強構法の提供。【解決手段】  既設ＡＬＣパネルに形成した貫通孔内に、建物躯体の梁の側面に固着した締結ボルトを挿入し、該締結ボルトに取付けた貫通孔の開口部を覆う補修漏れ防止金物の内面に不定形状の発泡ウレタンを吹き付け、補修漏れ防止金物と反対側の貫通孔内に配置したハット形の脱落防止用補強金物を前記締結ボルトにナットにて固定し、貫通孔内に当該パネル表面までモルタルを充填することを特徴とする。【選択図】    図１
2015166523.tif 000002
【特許請求の範囲】
【請求項１】
既設ＡＬＣパネルの所定位置に、当該パネルの外面側から厚さ方向に貫通する貫通孔を形成する第１工程と、前記ＡＬＣパネルの外面側から前記貫通孔内に締結ボルトを挿入して当該ボルトの建物躯体側端部をスタッド溶接により建物躯体の梁の側面に固着する第２工程と、前記締結ボルトに前記貫通孔の建物躯体側開口部を覆う補修漏れ防止金物を、当該締結ボルトに予め螺着したナットにて固定した後、該補修漏れ防止金物の内側面に不定形状の発泡ウレタンを吹き付ける第３工程と、前記貫通孔の建物躯体側と反対側開口部に板状部材からなるハット形の脱落防止用補強金物を挿入配置し、前記貫通孔内において締結ボルトの端部にナットにて前記脱落防止用補強金物を締付け固定する第４工程と、前記貫通孔内に当該パネル表面までモルタルを充填する第５工程と、を備えることを特徴とする既設ＡＬＣパネルの補強防水構法。
【請求項２】
ＡＬＣパネルの所定位置に、当該パネルの外面側から厚さ方向に貫通する貫通孔を形成する第１工程と、前記ＡＬＣパネルの外面側から前記貫通孔内に締結ボルトを挿入して当該ボルトの建物躯体端部をスタッド溶接により建物躯体の梁の側面に固着する第２工程と、前記締結ボルトに前記貫通孔開口部を覆う補修漏れ防止金物と長ナットを取着し、長ナットにはパッキン材を装着した長さ調節用寸切ボルトを螺着し、前記締結ボルトに予め螺着したナットと前記長ナットにて前記補修漏れ防止金物を挟持固定する第３工程と、前記貫通孔内において該貫通孔の建物躯体側と反対側開口部に板状部材からなるハット形の脱落防止用補強金物を前記寸切ボルトの端部にナットにて締付け固定する第４工程と、前記貫通孔内に当該パネル表面までモルタルを充填する第５工程と、を備えることを特徴とする既設ＡＬＣパネルの補強防水構法。
【請求項３】
ＡＬＣパネルの所定位置に、当該パネルの外面側から厚さ方向に貫通する貫通孔を形成する第１工程と、前記ＡＬＣパネルの外面側から前記貫通孔内に締結ボルトを挿入して当該ボルトの建物躯体端部をスタッド溶接により建物躯体の梁の側面に固着する第２工程と、前記締結ボルトに前記貫通孔開口部を覆う補修漏れ防止金物と長ナットを取着し、前記長ナットには長さ調節用寸切ボルトを螺着し、前記締結ボルトに予め螺着したナットと前記長ナットにて前記補修漏れ防止金物を挟持固定する第３工程と、前記貫通孔内において該貫通孔の建物躯体側と反対側開口部に板状部材からなるハット形の脱落防止用補強金物を前記寸切ボルトの端部にナットにて締付け固定し、該脱落防止用補強金物取着部を防水用テープ又はシール材により防水施工する第４工程と、前記貫通孔内に当該パネル表面までモルタルを充填する第５工程と、を備えることを特徴とする既設ＡＬＣパネルの補強防水構法。
【請求項４】
ＡＬＣパネルの所定位置に、当該パネルの外面側から厚さ方向に貫通する貫通孔を形成する第１工程と、前記ＡＬＣパネルの外面側から前記貫通孔内に締結ボルトを挿入して当該ボルトの建物躯体端部をスタッド溶接により建物躯体の梁の側面に固着する第２工程と、前記締結ボルトに前記貫通孔開口部を覆う補修漏れ防止金物と長ナットを取着し、長ナットにはパッキン材を装着した長さ調節用寸切ボルトを螺着し、前記締結ボルトに予め螺着したナットと前記長ナットにて前記補修漏れ防止金物を挟持固定した後、該補修漏れ防止金物の内側面に不定形状の発泡ウレタンを吹き付ける第３工程と、前記貫通孔内において該貫通孔の建物躯体側と反対側開口部に板状部材からなるハット形の脱落防止用補強金物を前記寸切ボルトの端部にナットにて締付け固定し、該脱落防止用補強金物取着部を防水用テープ又はシール材により防水施工する第４工程と、前記貫通孔内に当該パネル表面までモルタルを充填する第５工程と、を備えることを特徴とする既設ＡＬＣパネルの補強防水構法。
【発明の詳細な説明】
【技術分野】
【０００１】
本発明は、例えばビル等の既設建築物に外壁材等として使用されているＡＬＣ（軽量気泡コンクリート）パネル、特に長方形状のＡＬＣパネルを縦長に配置した既設ＡＬＣパネルが経年劣化等により取付部の耐力が低下した場合あるいはパネルの破損を抑制させる場合等に適用する既設ＡＬＣパネルの補強構造における防水構法に関する。
【背景技術】
【０００２】
上記のようなＡＬＣパネルの取付構法の一つとして挿入筋構法が知られている。図８は従来のＡＬＣ縦壁挿入筋構法の施工例を示すもので、建物躯体であるＨ形鋼等よりなる梁材２１の上部にアングル材等よりなる下地鋼材２２を取付け、その下地鋼材２２の側面に溶接等で固着したタテカベプレート２３にＡＬＣパネル２４を載置すると共に、そのタテカベプレート２３に形成した鉄筋挿通穴（図示せず）内及び横方向に隣り合うＡＬＣパネル２４の縦目地（図示せず）内に目地鉄筋２５を配設し、その目地鉄筋の周囲の上記縦目地内にモルタル等を充填して固化させた構成である（特許文献１参照）。
【０００３】
上記のような挿入筋構法で設置された既設ＡＬＣパネルの場合、経年劣化等による母材の強度低下や、地震等による取付部耐力の低下の問題を解決する必要があり、その対策として、特許文献１、非特許文献１のような補強構法が知られている。特許文献１に記載の補強構法は、前記図８に示すＡＬＣ縦壁挿入筋構法の施工例において、下地鋼材２２の側面に対応するＡＬＣパネル２４の所定位置に、ＡＬＣパネルの外面側から当該パネルの厚さ方向に貫通する貫通孔を形成し、この貫通孔内に棒状体を挿入してスタッド溶接等により下地鋼材の側面に固着し、さらに棒状体の端部にナットをねじ込み、下地鋼材の側面に取付けた支持板と下地鋼材との間にＡＬＣパネルを挟んだ状態で締付け固定し、タテカベプレート２３とＡＬＣパネル２４との間で目地鉄筋２５を切断して組立てる方式である。又、非特許文献１に記載の補強構法は、同じく前記図８に示すＡＬＣ縦壁挿入筋構法の施工例において、ＡＬＣパネルの脱落防止方法として、ＡＬＣパネルの表面に形成した当該パネルの厚さ方向に貫通する貫通孔を開け、建物躯体であるＨ形鋼等よりなる梁材に溶接により固着した締結ボルトに補修漏れ防止金物を取付け、脱落防止金物を締結ボルトにナットで固定する方式である。
【０００４】
しかしながら、上記特許文献１や非特許文献１に記載の補強構法は、既設のＡＬＣ縦壁パネルを、その外部側からだけで容易に補強処理を施すことができることや、ＡＬＣ縦壁パネルを脱落防止金物や締結ボルト・ナット等により建物躯体に固定することによりパネルの脱落を防止することができるという点では優れているが、その補強箇所に対する防水性の確保が難しく、有効な防水対策が施されていないため、地震や衝撃等によりＡＬＣパネルに亀裂や欠け等が生じた場合、その亀裂箇所や欠けた部分から雨水等が侵入しパネルに重大な破損が生じることが懸念されるという問題があった。
【先行技術文献】
【特許文献】
【０００５】
【特許文献１】特許第４６２４２８８号
【非特許文献】
【０００６】
【非特許文献１】２０１３年度日本建築学会大会梗概集１７２３「縦壁挿入筋構法で取付けられた外壁ＡＬＣパネルの脱落防止策に関する研究」Ｐ．１４４５−１４４６
【発明の概要】
【発明が解決しようとする課題】
【０００７】
本発明は上記の問題点に鑑みなされたもので、ＡＬＣ縦壁挿入筋構法により施工された既設ＡＬＣパネルの補強構法のうち、特にＡＬＣパネルを脱落防止金物や締結ボルト・ナット等により建物躯体に固定する方式の補強構法における前記問題点を解決し、既設の挿入筋構法で設置されたＡＬＣパネルの防水性に優れた補強構法を提供しようとするものである。
【課題を解決するための手段】
【０００８】
本発明に係る既設ＡＬＣパネルの補強防水構法は、前記ＡＬＣパネルを脱落防止金物や締結ボルト・ナット等により建物躯体に固定する方式の補強構法を改善したもので、その既設ＡＬＣパネルの補強防水構法は、第１の発明として、既設ＡＬＣパネルの所定位置に、当該パネルの外面側から厚さ方向に貫通する貫通孔を形成する第１工程と、前記ＡＬＣパネルの外面側から前記貫通孔内に締結ボルトを挿入して当該ボルトの建物躯体側端部をスタッド溶接により建物躯体の梁の側面に固着する第２工程と、前記締結ボルトに前記貫通孔の建物躯体側開口部を覆う補修漏れ防止金物を、当該締結ボルトに予め螺着したナットにて固定した後、該補修漏れ防止金物の内側面に不定形状の発泡ウレタンを吹き付ける第３工程と、前記貫通孔の建物躯体側と反対側開口部に板状部材からなるハット形の脱落防止用補強金物を挿入配置し、前記貫通孔内において締結ボルトの端部にナットにて前記脱落防止用補強金物を締付け固定する第４工程と、前記貫通孔内に当該パネル表面までモルタルを充填する第５工程と、を備えることを特徴とするものである。
【０００９】
本発明に係る既設ＡＬＣパネルの補強防水構法は、第２の発明として、ＡＬＣパネルの所定位置に、当該パネルの外面側から厚さ方向に貫通する貫通孔を形成する第１工程と、前記ＡＬＣパネルの外面側から前記貫通孔内に締結ボルトを挿入して当該ボルトの建物躯体端部をスタッド溶接により建物躯体の梁の側面に固着する第２工程と、前記締結ボルトに前記貫通孔開口部を覆う補修漏れ防止金物と長ナットを取着し、長ナットにはパッキン材を装着した長さ調節用寸切ボルトを螺着し、前記締結ボルトに予め螺着したナットと前記長ナットにて前記補修漏れ防止金物を挟持固定する第３工程と、前記貫通孔内において該貫通孔の建物躯体側と反対側開口部に板状部材からなるハット形の脱落防止用補強金物を前記寸切ボルトの端部にナットにて締付け固定する第４工程と、前記貫通孔内に当該パネル表面までモルタルを充填する第５工程と、を備えることを特徴とするものである。
【００１０】
本発明に係る既設ＡＬＣパネルの補強防水構法は、第３の発明として、ＡＬＣパネルの所定位置に、当該パネルの外面側から厚さ方向に貫通する貫通孔を形成する第１工程と、前記ＡＬＣパネルの外面側から前記貫通孔内に締結ボルトを挿入して当該ボルトの建物躯体端部をスタッド溶接により建物躯体の梁の側面に固着する第２工程と、前記締結ボルトに前記貫通孔開口部を覆う補修漏れ防止金物と長ナットを取着し、前記長ナットには長さ調節用寸切ボルトを螺着し、前記締結ボルトに予め螺着したナットと前記長ナットにて前記補修漏れ防止金物を挟持固定する第３工程と、前記貫通孔内において該貫通孔の建物躯体側と反対側開口部に板状部材からなるハット形の脱落防止用補強金物を前記寸切ボルトの端部にナットにて締付け固定し、該脱落防止用補強金物取着部を防水用テープ又はシール材により防水施工する第４工程と、前記貫通孔内に当該パネル表面までモルタルを充填する第５工程と、を備えることを特徴とするものである。
【００１１】
本発明に係る既設ＡＬＣパネルの補強防水構法は、第４の発明として、ＡＬＣパネルの所定位置に、当該パネルの外面側から厚さ方向に貫通する貫通孔を形成する第１工程と、前記ＡＬＣパネルの外面側から前記貫通孔内に締結ボルトを挿入して当該ボルトの建物躯体端部をスタッド溶接により建物躯体の梁の側面に固着する第２工程と、前記締結ボルトに前記貫通孔開口部を覆う補修漏れ防止金物と長ナットを取着し、長ナットにはパッキン材を装着した長さ調節用寸切ボルトを螺着し、前記締結ボルトに予め螺着したナットと前記長ナットにて前記補修漏れ防止金物を挟持固定した後、該補修漏れ防止金物の内側面に不定形状の発泡ウレタンを吹き付ける第３工程と、前記貫通孔内において該貫通孔の建物躯体側と反対側開口部に板状部材からなるハット形の脱落防止用補強金物を前記寸切ボルトの端部にナットにて締付け固定し、該脱落防止用補強金物取着部を防水用テープ又はシール材により防水施工する第４工程と、前記貫通孔内に当該パネル表面までモルタルを充填する第５工程と、を備えることを特徴とするものである。
【発明の効果】
【００１２】
本発明の既設ＡＬＣパネルの補強防水構法によれば、ボルトと脱落防止用補強部材でＡＬＣパネルを建物躯体に固着することにより、脱落防止用補強部材の取付部の耐力を得るとともに地震等により、パネルに重大な破損が生じたとしても補強部材がパネルを支えることにより、最悪の事態であるパネルの脱落を防止することが可能となるのみならず、その施工された既設ＡＬＣパネルの補強構造は、モルタル部が経年劣化等で亀裂が生じたとしても貫通孔開口部を覆う補修漏れ防止金物に吹き付けた不定形状の発泡ウレタン、締結ボルトに装着したパッキン材、貫通孔開口部に施した防水用テープやシール材により、亀裂箇所等からの雨水等の侵入を防ぐことが可能となり、既設ＡＬＣパネルの耐久性をさらに向上させることが可能となると共に、屋内への雨水等の侵入も防止される。
【図面の簡単な説明】
【００１３】
【図１】本発明による既設ＡＬＣ縦壁パネルの補強防水構造の第一実施形態を示す断面図である。
【図２】本発明による既設ＡＬＣパネルの補強防水構法における施工途中の既設ＡＬＣ縦壁パネルとその貫通孔部を示す斜視図である。
【図３】本発明による既設ＡＬＣパネルの補強防水構法に用いる脱落防止用補強部材を示す斜視図である。
【図４】本発明による既設ＡＬＣパネルの補強防水構法に用いる貫通孔開口部を覆う補修漏れ防止金物を示す斜視図である。
【図５】本発明による既設ＡＬＣ縦壁パネルの補強防水構造の第二実施形態を示す断面図である。
【図６】本発明による既設ＡＬＣ縦壁パネルの補強防水構造の第三実施形態を示す断面図である。
【図７】本発明による既設ＡＬＣ縦壁パネルの補強防水構造の第四実施形態を示す断面図である。
【図８】従来の既設ＡＬＣ縦壁パネルの補強防水構造の一例を示す断面図である。
【発明を実施するための形態】
【００１４】
本実施形態は前記の挿入筋構法によって施工した既設ＡＬＣ縦壁パネルに適用したもので、その既設ＡＬＣ縦壁パネルは、前記従来例と同様に、建物躯体であるＨ形鋼等よりなる梁材２１の上部にアングル材等よりなる下地鋼材２２を取付け、その下地鋼材２２の側面に溶接等で固着したタテカベプレート２３にＡＬＣパネル２４を載置すると共に、そのタテカベプレート２３に形成した鉄筋挿通穴（図示せず）内及び横方向に隣り合うＡＬＣパネル２４の縦目地（図示せず）内に目地鉄筋２５を配設し、その目地鉄筋の周囲の上記縦目地内にモルタル等を充填して固化させた構成である。
【００１５】
図１に第一実施形態として示す既設ＡＬＣ縦壁パネルの補強防水構造を施工するに当たっては、例えば以下の要領で施工すればよい。
先ず、コアドリル等を使用して既設ＡＬＣパネル２４の所定位置に当該パネルの外面側から厚さ方向に貫通するφ１００ｍｍ程度の貫通孔１を形成する（図２参照）。次に、前記ＡＬＣパネル２４の外面側から前記貫通孔１内に締結ボルト２を挿入して当該ボルトの建物躯体側端部をスタッド溶接により建物躯体の梁２１の側面に固着する。続いて、前記締結ボルト２に前記貫通孔１の建物躯体側開口部とほぼ同一径の円板状の補修漏れ防止金物３を、貫通孔１の開口部を覆うように当該締結ボルト２に予め螺着したナット６にて固定した後、該補修漏れ防止金物３の内側面に不定形状の発泡ウレタン５を吹き付けて防水処理を施す。なお、前記円板状の補修漏れ防止金物３は図４に示すように薄板部材からなる円板３−１の中央に貫通孔３−２が穿設されたものである。次いで、前記貫通孔１の建物躯体側と反対側開口部に脱落防止用補強金物４を埋設する。この脱落防止用補強金物４は、図３に示すように一枚の板部材を屈曲してハット形に形成したもので、左右に形成した鍔部４−１と該鍔部４−１の間に形成した凸部４−２を有し、前記凸部４−２に前記締結ボルト２の貫通孔４−３が穿設されている。この脱落防止用補強金物４を埋設するに際しては、前記貫通孔１の建物躯体側と反対側開口部をチッピングハンマーとＡＬＣ用の鋸刃等を使用して該補強金物４の鍔部４−１の形状に沿って切削（図２）して矩形の切欠き部１−１を形成し、脱落防止用補強金物４を貫通孔１内に挿入配置するとともに前記締結ボルトの端部を当該金物の貫通孔４−３に挿通しナット７にて固定する。しかる後、前記貫通孔１内および切欠き部１−１にモルタル８を当該パネル表面まで充填して施工を完了する。
このようにして施工された第一実施形態の既設ＡＬＣ縦壁パネルの補強防水構造の場合は、経年劣化でモルタル８部分に亀裂が入り、雨水等が侵入してきたとしても不定形状の発泡ウレタン５により屋内への雨水等の侵入が防止され、既設ＡＬＣパネルの耐久性をさらに向上させることが可能となると共に、屋内への雨水等の侵入も防止される。
【００１６】
次に、本発明による既設ＡＬＣ縦壁パネルの補強防水構造の第二実施形態の施工方法を図５に基づいて説明する。
先ず、前記第一実施形態の既設ＡＬＣ縦壁パネルの補強防水構造の施工と同様に、コアドリル等を使用して既設ＡＬＣパネル２４の所定位置に当該パネルの外面側から厚さ方向に貫通するφ１００ｍｍ程度の貫通孔１を形成する（図２参照）。次に、前記ＡＬＣパネル２４の外面側から前記貫通孔１内に締結ボルト２を挿入して当該ボルトの建物躯体側端部をスタッド溶接により建物躯体の梁２１の側面に固着すると、該締結ボルト２にナット６、前記貫通孔開口部を覆う円板状の補修漏れ防止金物３及び長ナット９を取付け、前記長ナット９にはパッキン材１０を装着した長さ調節用寸切ボルト１１を螺合する。次いで、前記貫通孔１の建物躯体側と反対側開口部をチッピングハンマーとＡＬＣ用の鋸刃等を使用して前記と同様に脱落防止用補強金物４の鍔部４−１の形状に沿って切削して矩形の切欠き部１−１を形成し、脱落防止用補強金物４を貫通孔１内に挿入配置するとともに前記寸切ボルト１１の端部を当該金物の貫通孔４−３に挿通しナット７にて固定する。しかる後、前記貫通孔１内および切欠き部１−１にモルタル８を当該パネル表面まで充填して施工を完了する。
このようにして施工された第二実施形態の既設ＡＬＣ縦壁パネルの補強防水構造の場合は、経年劣化でモルタル８部分に亀裂が入り、雨水等がボルト２を伝って屋内に侵入しようとしても当該ボルトに取付けたパッキン材１０によりシールされるため、屋内への雨水等の侵入を防止することが可能となる。
【００１７】
又、図６に示す既設ＡＬＣ縦壁パネルの補強防水構造の第三実施形態の施工方法は、先ず、前記第一実施形態及び第二実施形態の既設ＡＬＣ縦壁パネルの補強防水構造の施工と同様に、コアドリル等を使用して既設ＡＬＣパネル２４の所定位置に当該パネルの外面側から厚さ方向に貫通するφ１００ｍｍ程度の貫通孔１を形成する（図２参照）。次に、前記ＡＬＣパネル２４の外面側から前記貫通孔１内に締結ボルト２を挿入して当該ボルトの建物躯体側端部をスタッド溶接により建物躯体の梁２１の側面に固着すると、該締結ボルト２にナット６、前記貫通孔開口部を覆う円板状の補修漏れ防止金物３及び長ナット９を取付け、前記長ナット９に長さ調節用寸切ボルト１１を螺合する。次いで、前記貫通孔１の建物躯体側と反対側開口部をチッピングハンマーとＡＬＣ用の鋸刃等を使用して前記と同様に脱落防止用補強金物４の鍔部４−１の形状に沿って切削して矩形の切欠き部１−１を形成し、脱落防止用補強金物４を貫通孔１内に挿入配置するとともに前記寸切ボルト１１の端部を当該金物の貫通孔４−３に挿通しナット７にて固定する。続いて、脱落防止用補強金物取着部、即ち貫通孔１と切欠き部１−１の境目の全周に防水用テープ１２を貼着し、しかる後前記貫通孔１内および切欠き部１−１にモルタル８を当該パネル表面まで充填して施工を完了する。
このようにして施工された第三実施形態の既設ＡＬＣ縦壁パネルの補強防水構造の場合は、経年劣化でモルタル８部分に亀裂が入り、雨水等が貫通孔１に沿って侵入しようとしても脱落防止用補強金物取着部に施した防水用テープ１２の作用によりシールすることができる。
【００１８】
さらに、図７に示す既設ＡＬＣ縦壁パネルの補強防水構造の第四実施形態の施工方法は、先ず、前記第一実施形態〜第三実施形態の既設ＡＬＣ縦壁パネルの補強防水構造の施工と同様に、コアドリル等を使用して既設ＡＬＣパネル２４の所定位置に当該パネルの外面側から厚さ方向に貫通するφ１００ｍｍ程度の貫通孔１を形成する（図２参照）。次に、前記ＡＬＣパネル２４の外面側から前記貫通孔１内に締結ボルト２を挿入して当該ボルトの建物躯体側端部をスタッド溶接により建物躯体の梁２１の側面に固着すると、該締結ボルト２にナット６、前記貫通孔開口部を覆う円板状の補修漏れ防止金物３及び長ナット９を取付け、前記補修漏れ防止金物３の内側面に不定形状の発泡ウレタン５を吹き付けて防水処理を施し、さらに前記長ナット９にパッキン材１０を装着した長さ調節用寸切ボルト１１を螺合する。次いで、前記貫通孔１の建物躯体側と反対側開口部をチッピングハンマーとＡＬＣ用の鋸刃等を使用して前記と同様に脱落防止用補強金物４の鍔部４−１の形状に沿って切削して矩形の切欠き部１−１を形成し、脱落防止用補強金物４を貫通孔１内に挿入配置するとともに前記寸切ボルト１１の端部を当該金物の貫通孔４−３に挿通しナット７にて固定する。続いて、前記第三実施形態の既設ＡＬＣ縦壁パネルの補強防水構造の施工と同様に、脱落防止用補強金物取着部、即ち貫通孔１と切欠き部１−１の境目の全周に防水用テープ１２を貼着し、しかる後前記貫通孔１内および切欠き部１−１にモルタル８を当該パネル表面まで充填して施工を完了する。
このようにして施工された第四実施形態の既設ＡＬＣ縦壁パネルの補強防水構造の場合は、経年劣化でモルタル８部分に亀裂が入り、雨水等が貫通孔１に沿って侵入しようとしても脱落防止用補強金物取着部に施した防水用テープ１２、寸切ボルト１１に装着したパッキン材１０及び発泡ウレタン５の作用により雨水等の侵入をほぼ確実に阻止すること可能となり、既設ＡＬＣパネルの耐久性のさらなる向上がはかられると共に、屋内への雨水等の侵入をより確実に防止することができる。
【符号の説明】
【００１９】
１  貫通孔
１−１  切欠き部
２  締結ボルト
３  補修漏れ防止金物
３−１  円板
３−２  貫通孔
４  脱落防止用補強金物
４−１  鍔部
４−２  凸部
４−３  貫通孔
５  発泡ウレタン
６、７  ナット
８  モルタル
９  長ナット
１０  パッキン材
１１  寸切ボルト
１２  防水用テープ
２１  梁材
２２  下地鋼材
２３  タテカベプレート
２４  ＡＬＣパネル
２５  目地鉄筋
【図１】
2015166523.tif 000003
【図２】
2015166523.tif 000004
【図３】
2015166523.tif 000005
【図４】
2015166523.tif 000006
【図５】
2015166523.tif 000007
【図６】
2015166523.tif 000008
【図７】
2015166523.tif 000009
【図８】
2015166523.tif 000010